【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
第一の基板と、第一の基板の第一の表面の所定の領域上に置かれた量子閉じ込め半導体ナノ粒子を含む光学材料と、光学材料上および光学材料に覆われていない第一の基板の第一の表面の任意の一部の上に置かれた接着材料を含む層と、および接着材料を含む層上に置かれた第二の基板とを含み、
第一および第二の基板が一緒に密閉されている、光学部品。
【請求項２】
一つ以上の異なったタイプの量子閉じ込め半導体ナノ粒子を含み、
各異なったタイプの量子閉じ込め半導体ナノ粒子が、光学材料に含まれる少なくとも一つの別のタイプの量子閉じ込め半導体ナノ粒子によって放出される所定の波長とは異なった所定の波長で光を放出する、請求項１に記載の光学部品。
【請求項３】
異なった所定の波長で放出する２つ以上の異なったタイプの量子閉じ込め半導体ナノ粒子を含み、
異なったタイプの量子閉じ込め半導体ナノ粒子が、２つ以上の異なった光学材料に含まれている、請求項１に記載の光学部品。
【請求項４】
異なった光学材料が、層状に配置された別々の層として該光学部品に含まれている、請求項３に記載の光学部品。
【請求項５】
異なった光学材料が、パターン層の別々のフィーチャとして該光学部品に含まれている、請求項３に記載の光学部品。
【請求項６】
量子閉じ込め半導体ナノ粒子が、半導体ナノ結晶を含む、請求項１に記載の光学部品。
【請求項７】
量子閉じ込め半導体ナノ粒子が、少なくとも４０％の固体量子効率を有する、請求項１に記載の光学部品。
【請求項８】
光学材料が、量子閉じ込め半導体ナノ粒子が中に分布している母材をさらに含む、請求項１に記載の光学部品。
【請求項９】
光学材料が、光散乱体をさらに含む、請求項１に記載の光学部品。
【請求項１０】
光学材料が、完全に封入されている、請求項１に記載の光学部品。
【請求項１１】
接着材料が、ＵＶ硬化性アクリラートウレタンを含む、請求項１に記載の光学部品。
【請求項１２】
第一の基板が、ガラスを含む、請求項１に記載の光学部品。
【請求項１３】
第二の基板が、ガラスを含む、請求項１に記載の光学部品。
【請求項１４】
光源、および光源によって発生した光の少なくとも一部を受ける位置に置かれた光学部品を含む照明装置であって、
前記光学部品が、請求項１に記載の光学部品を含む、照明装置。
【請求項１５】
光源が、固体半導体発光ダイオードを含む、請求項１４に記載の照明装置。
【請求項１６】
一つ以上の光源を受けるように適合された照明器具であって、
一つ以上の光源によって発生した光の少なくとも一部が、器具から発光される前に光学部品の中を通過するよう、一つ以上の光源の位置に相対して器具の中に置かれた光学部品を含み、
前記光学部品が、請求項１に記載の光学部品を含む、照明器具。
【請求項１７】
照明器具に取り付けるよう適合されたカバー板であって、請求項１に記載の光学部品を含む、カバー板。
【請求項１８】
第一の基板が、所定の波長の光に対し少なくとも８０％光学的に透明である、請求項１に記載の光学部品。
【請求項１９】
第二の基板が、所定の波長の光に対し少なくとも８０％光学的に透明である、請求項１に記載の光学部品。
【請求項２０】
第一の基板が、所定の波長の光に対し少なくとも８０％光学的に透明である、請求項１９に記載の光学部品。
【請求項２１】
光学材料中の量子閉じ込め半導体ナノ粒子が、少なくとも７０％の固体光ルミネセンス量子効率を有する、請求項１に記載の光学部品。
【請求項２２】
光学材料中の量子閉じ込め半導体ナノ粒子が、少なくとも９０％の固体光ルミネセンス量子効率を有する、請求項１に記載の光学部品。
【請求項２３】
接着材料が、酸素障壁特性を有する、請求項１に記載の光学部品。
【請求項２４】
接着材料が、酸素障壁特性および防湿特性を有する、請求項１に記載の光学部品。
【請求項２５】
光学材料が、一つ以上の異なったタイプの量子閉じ込め半導体ナノ粒子を含み、
各異なったタイプの量子閉じ込め半導体ナノ粒子が、光学材料に含まれる少なくとも一つの別のタイプの量子閉じ込め半導体ナノ粒子によって放出される所定の波長とは異なった所定の波長で光を放出する、請求項１に記載の光学部品。
【請求項２６】
光学材料が、２つ以上の光学材料を含む、請求項１に記載の光学部品。
【請求項２７】
異なった光学材料が、層状に配置された別々の層として光学部品に含まれている、請求項２６に記載の光学部品。
【請求項２８】
異なった光学材料が、パターン層の別々のフィーチャとして光学部品に含まれている、請求項２６に記載の光学部品。
【請求項２９】
量子閉じ込め半導体ナノ粒子が、半導体ナノ結晶を含む、請求項２６に記載の光学部品。
【請求項３０】
接着材料を含む層と第二の基板との間に置かれた量子閉じ込め半導体ナノ粒子を含む、第二の光学材料をさらに含む、請求項１または２５に記載の光学部品。
【請求項３１】
第二の光学材料が、一つ以上の異なったタイプの量子閉じ込め半導体ナノ粒子を含み、
各異なったタイプの量子閉じ込め半導体ナノ粒子が、光学材料に含まれる少なくとも一つの別のタイプの量子閉じ込め半導体ナノ粒子によって放出される所定の波長とは異なった所定の波長で光を放出する、請求項３０に記載の光学部品。
【請求項３２】
第二の光学材料が、２つ以上の光学材料を含む、請求項３０に記載の光学部品。
【請求項３３】
第二の光学材料に含まれる２つ以上の光学材料が、層状に配置された別々の層として光学部品に含まれる、請求項３２に記載の光学部品。
【請求項３４】
第二の光学材料に含まれる２つ以上の光学材料が、パターン層の別々のフィーチャとして光学部品に含まれる、請求項３２に記載の光学部品。
【請求項３５】
第二の光学材料が、光散乱体をさらに含む、請求項３０に記載の光学部品。
【請求項３６】
光学材料および第二の光学材料に含まれる量子閉じ込め半導体ナノ粒子が、半導体ナノ結晶を含む、請求項３０に記載の光学部品。
【請求項３７】
光学材料および第二の光学材料が、同一の所定の配置で置かれており、且つ第二の光学材料が、光学材料と重なり合うように並べられている、請求項３０に記載の光学部品。
【請求項３８】
第二の光学材料が、さらに母材を含む、請求項３０に記載の光学部品。
【請求項３９】
光学材料が、母材の重量あたり１５重量パーセント以下のナノ粒子を含む、請求項８に記載の光学部品。
【請求項４０】
光学材料が、２００ミクロンまでの厚さを有する、請求項１に記載の光学部品。
【請求項４１】
第二の光学材料が、母材の重量あたり１５重量パーセント以下のナノ粒子を含む、請求項３０に記載の光学部品。
【請求項４２】
第二の光学材料が、２００ミクロンまでの厚さを有する、請求項３０に記載の光学部品。
【請求項４３】
光学材料を含む所定の領域の周縁と密閉構造物の辺縁との間に、光学材料を含まない辺縁シール面を含む、請求項１に記載の光学部品。
【請求項４４】
光学部品に対して内側となる基板表面の一方または両方が、滑らかでない、請求項１に記載の光学部品。
【請求項４５】
第二の基板が、この表面の第二の所定の領域の上に置かれた量子閉じ込め半導体ナノ粒子を含む第二の光学材料を、第一の基板の第一の表面と向かい合って含む、請求項１に記載の光学部品。
【請求項４６】
密閉構造物に含まれる光学材料の外側周縁と密閉構造物の辺縁との間に、光学材料を含まない辺縁シール面を含む、請求項４５に記載の光学部品。